【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
複数の予め定められたタスクからの信号を監視し；
該複数の予め定められたタスクのそれぞれが１つの信号を生成したことを確認し、
該複数の信号のすべてが「全正常」信号であれば監視タイマをリセットし；そして、
予め定められたインターバルの間に、該監視タイマがリセットされなかった場合には、切断信号を生成する：
自動インジェクタシステムの安全な作動を確保する方法。
【請求項２】
予め定められたインターバルの間に、前記監視タイマがリセットされなかった場合に切断信号を送信するステップが、シリンジプランジャに作動可能に接続された自動インジェクタシステムのモータを停止させることを含む、請求項1に記載の方法。
【請求項３】
自動インジェクタシステムのモータを停止させるステップが、モータへの電源供給を遮断することを含む、請求項２記載の安全な作動を確保する方法。
【請求項４】
前記信号のそれぞれが符号化されることにより、該信号のそれぞれが間違った肯定信号から区別される、請求項１記載の安全な作動を確保する方法。
【請求項５】
前記信号のそれぞれがスケジュールに従い生成され、該信号が該スケジュールに一致している場合のみ、該信号が読まれる、請求項１または４記載の安全な作動を確保する方法。
【請求項６】
前記予め定められたタスクは、モータトルク、モータ位置、気柱警報、マニホルド位置、移動制限、ペンダントコマンド、符号信号およびリニア位置を含む、請求項１記載の安全な作動を確保する方法。
【請求項７】
自動インジェクタシステムの安全な作動を確保するためのコンピュータプログラムであって、
複数の予め定められたタスクからの複数の信号を監視するコードセグメント；
該複数の予め定められたタスクのそれぞれが１つの信号を生成したことを確認するコードセグメント；
該複数の信号のすべてが「全正常」信号であれば監視タイマをリセットするコードセグメント；
予め定められたインターバルの間に、該監視タイマがリセットされなかった場合には切断信号を送信するコードセグメント；
を含むコンピュータプログラム。
【請求項８】
予め定められたインターバルの間に、前記監視タイマがリセットされなかった場合に切断信号を送信するコードセグメントが、シリンジプランジャに作動可能に接続された自動インジェクタシステムのモータを停止させるコードセグメントを含む請求項７に記載のコンピュータプログラム。
【請求項９】
該切断信号が、モータへの電源供給を遮断することにより、自動インジェクタシステムのモータを停止させる、請求項８に記載のコンピュータプログラム。
【請求項１０】
前記予め定められたタスクが、複数の断続的な信号を、該インジェクタシステムの第１のマイクロプロセッサおよび第２のマイクロプロセッサ間の通信リンクに送るコードセグメントを含み、該信号のそれぞれが、前記マイクロプロセッサが正常に、かつ、他のマイクロプロセッサと共時的に作動していることを示す、請求項７に記載のコンピュータプログラム。
【請求項１１】
該信号のそれぞれが符号化されることにより、該信号のそれぞれが間違った肯定信号から区別される、請求項１０に記載のコンピュータプログラム。
【請求項１２】
前記信号のそれぞれがスケジュールに従い生成され、前記マイクロプロセッサは、該信号が前記スケジュールに一致している場合にのみ、該信号を読み取ることができる、請求項１１に記載のコンピュータプログラム。
【請求項１３】
前記第２のマイクロプロセッサが、該第１のマイクロプロセッサが配置されている患者のいる部屋とは別の制御室に置かれた遠隔操作パネルに配置された、請求項１０に記載のコンピュータプログラム。
【請求項１４】
前記予め定められたタスクは、モータトルク、モータ位置、気柱警報、マニホルド位置、移動制限、ペンダントコマンド、符号信号およびリニア位置を含む、請求項７記載のコンピュータプログラム。
【請求項１５】
前記コードセグメントの一部が、該第１のマイクロプロセッサおよび/または該第２のマイクロプロセッサのメモリに格納され、該メモリは、第１および第２のマイクロプロセッサに取外し可能に取り付けることが可能なモジュラーメモリカードを含む、請求項１０に記載のコンピュータプログラム。
【請求項１６】
前記コードセグメントが、前記第１のプロセッサと第２のプロセッサに、両マイクロプロセッサが正常に動作していることを確かめるために、前記通信リンクを通じて、システムチェックをさせる、請求項１０記載のコンピュータプログラム。
【請求項１７】
コンピュータ上で実行されるインジェクタシステムの安全な作動を確保するための自動インジェクタ制御用ツールであって、
該ツールが、
複数の予め定められたタスクからの複数の信号を監視するための監視ユニット；
予め定められた時間の経過後に、自動インジェクタシステムの一部を非作動にするためのタイミングユニット；
を含み、
該監視ユニットが、複数の予め定められたタスクのそれぞれが複数の信号の１つを生成したことを確認した後に、前記タイミングユニットをリセットする、自動インジェクタ制御用ツール。
【請求項１８】
前記監視ユニットが、コードセグメントを含む、請求項１７に記載の自動インジェクタ制御用ツール。
【請求項１９】
前記タイミングユニットが、コードセグメントを含む、請求項１７に記載の自動インジェクタ制御用ツール。
【請求項２０】
前記予め定められたタスクは、モータトルク、モータ位置、気柱警報、マニホルド位置、移動制限、ペンダントコマンド、符号化信号およびリニア位置を含む、請求項１７記載の自動インジェクタ制御用ツール。
【請求項２１】
前記インジェクタシステムの非作動とされる部分が、前記インジェクタシステムのモータを含む、請求項１７記載の自動インジェクタ制御用ツール
【請求項２２】
自動インジェクタシステムを制御する方法であって、
自動インジェクタシステムの種々の作動パラメータを監視するセンサからの複数の読み値を受領し；
該読み値を、該作動パラメータに対応する予め選択された安全限界と比較し；
自動インジェクタシステムを作動させるコンピュータプログラムに作動可能に接続されたタイマを監視して、タイマが確実に所定時間を経過しないようにし；
（ａ）予め定められた前記パラメータの１つがその対応する予め選択された安全限界を予め定められた量だけ超えるか、または、（ｂ）タイマが所定時間を経過した場合に、継電器を切断することにより、自動インジェクタシステムのモータに電源供給を遮断すること；
を含む方法。
【請求項２３】
該作動パラメータは、モータトルク、モータ位置、気柱警報、マニホルド位置、移動制限、ペンダントコマンド、符号化信号およびリニア位置を含む、請求項２２に記載の方法。
【請求項２４】
自動インジェクタシステムの安全な作動を制御するために使用される制御回路であって、
モータ切断論理回路、複数の比較器、タイマおよび継電器を含み、
前記の比較器のそれぞれが、第１の入力ライン、第２の入力ラインおよび出力ラインを有し；
前記第１の入力ラインのそれぞれが、自動インジェクタシステムの選択された作動パラメータを測定するセンサに接続され、かつ、該作動パラメータを示す電圧を有し；
前記第２の入力ラインのそれぞれが、該選択された作動パラメータに対して予め定められた限界を示すデータに対応する電圧を受け取り；
前記出力ラインのそれぞれが、前記モータ切断論理回路に接続され、前記第１の入力ラインが有する電圧が、第２の入力ラインが有する電圧と所定量異なる場合には、対応する比較器によって生成された電圧信号を前記モータ切断回路に送るようになっていて；
前記タイマは、前にモータ切断論理回路に作動可能に接続され、予め定められた経過時間が経過したときには、信号を該モータ切断論理回路に送るようになっていて；
前記継電器は、前にモータ切断論理回路に作動可能に接続され、自動インジェクタシステムを電源に電気的に接続するように構成および配置されており；
前記モータ切断論理回路が前記の信号のいずれかを受領したときには、該モータ切断論理回路は前記継電器を切断することにより、継電器が前記自動インジェクタシステムのモータと電源間の電気的な接続を遮断するようになっている、
制御回路。
【請求項２５】
前記作動パラメータは、モータトルク、モータ位置、気柱警報、マニホルド位置、移動制限、ペンダントコマンド、符号化信号およびリニア位置を含む、請求項２４に記載の制御回路。